(57)【特許請求の範囲】
【請求項１】
左右１対の側板間に、１または複数の縦仕切板を設け、前記側板と前記側板に隣接する前記縦仕切板との間、または互いに隣接する前記縦仕切板間に、横仕切板または棚板を架設し、
前記縦仕切板に、左右方向に貫通する嵌合孔を設け、前記縦仕切板の左右における前記横仕切板同士または前記棚板同士のいずれか一方の対向縁に設けた水平突片を、前記嵌合孔に嵌合し、前記嵌合孔より突出する前記水平突片に設けた上下方に貫通する係合孔に、前記横仕切板同士または前記棚板同士のいずれか他方の対向縁に設けた下向突片を嵌合することにより、前記縦仕切板を挟んで左右に隣接する前記横仕切板同士または前記棚板同士を互いに結合した収納家具において、
前記下向突片を設けた方の前記横仕切板または前記棚板の前後いずれかに係合部を設け、前記係合部を、収納家具の一構成部材である前部横桟または後面板に設けた被係合部に係合させる構成であって、
前記係合部を、前記横仕切板または前記棚板の前端に設けた前向フランジとし、かつ前記被係合部を、左右の前記側板間に架設した前記前部横桟とし、前記前部横桟の下縁に、前記前向フランジを係合させることにより、前記横仕切板または前記棚板の上下方向の移動を阻止するようにしたことを特徴とする収納家具。
【請求項２】
前記各側板の内側面に受片を設け、前記各受片に、前記側板に隣接する前記横仕切板または前記棚板の対向縁に設けた垂下片を受止させた請求項１記載の収納家具。
【請求項３】
前記係合部を、前記横仕切板または前記棚板の後端に設けた後向突片とし、かつ前記被係合部を、後面板に設けた嵌合孔とし、前記嵌合孔に前記後向突片を嵌合した請求項１記載の収納家具。
【請求項４】
左右１対の側板間に、１または複数の縦仕切板を設け、前記側板と前記側板に隣接する前記縦仕切板との間、または互いに隣接する前記縦仕切板間に、横仕切板または棚板を架設し、
前記縦仕切板に設けた嵌合孔に、前記縦仕切板の左右における前記横仕切板同士または前記棚板同士のいずれか一方の対向縁に設けた水平突片を嵌合し、前記嵌合孔より突出する前記水平突片に設けた上下方に貫通する係合孔に、前記横仕切板同士または前記棚板同士のいずれか他方の対向縁に設けた下向突片を嵌合することにより、前記縦仕切板を挟んで左右に隣接する前記横仕切板同士または前記棚板同士を互いに結合する収納家具の組み立て方法において、
前記下向突片を設けた方の前記横仕切板または前記棚板の前後いずれかに係合部を設け、前記係合部を、収納家具の一構成部材である前部横桟または後面板に設けた被係合部に係合させる組み立て方法であって、
前記係合部を、前記横仕切板または前記棚板の前端に設けた前向フランジとし、かつ前記被係合部を、左右の前記側板間に架設した前記前部横桟とし、前記前部横桟の下縁に、前記前向フランジを係合させることにより、前記横仕切板または前記棚板の上下方向の移動を阻止するようにしたことを特徴とする収納家具の組み立て方法。
【発明の詳細な説明】
【技術分野】
【０００１】
本発明は、ロッカー等の収納家具、およびその組み立て方法に関する。
【背景技術】
【０００２】
ロッカー等の収納家具に横仕切板や棚板を取付ける構造としては、側板や中仕切板の互いに対向する側面に棚受金具をそれぞれ取り付け、その上に棚板の側縁部を受止させるようにしたもの(例えば特許文献１参照)、棚板側に嵌入突起を設けて、これを仕切板等に設けた嵌合孔に嵌入したり、棚板の後端部を背面板に設けた棚板支持部に載置させたもの(例えば特許文献２参照)、左右に隣接する横仕切板の一方の対向側面に設けた係止爪挿通孔を、縦仕切板に設けた係止爪嵌入孔に整合させて、それらに、左右に隣接する横仕切板の他方の対向側面に設けた係止爪を連続して嵌入させるようにしたもの(例えば特許文献３参照)等がある。
【先行技術文献】
【特許文献】
【０００３】
【特許文献１】実公昭６３−３７８７５号公報(特に第２図および第１０図)
【特許文献２】実用新案登録第２５２９９６０号公報
【特許文献３】特開平１１−２２１１２５号公報
【発明の概要】
【発明が解決しようとする課題】
【０００４】
特許文献１に記載されているものにおいては、側板や中仕切板に多数の棚受金具を溶接等をもってそれぞれ取り付けなければならず、部品点数が増大するとともに、溶接作業等の多くの加工が必要となる。
【０００５】
特許文献２に記載されているものにおいては、棚板や仕切板、背面板等に特別な加工を施さなければならず、加工や組み付け作業が面倒である。
【０００６】
特許文献３に記載されているものにおいては、一方の横仕切板に設けた係止爪挿通孔と、縦仕切板に設けた係止爪嵌入孔とを、正確に位置決めした上でないと、他方の横仕切板に設けた係止爪を、それらに連続して挿通させることはできず、その位置決めや挿通作業が面倒であるだけでなく、左右に隣接する１対の横仕切板と、その間に挟まれた縦仕切板とは、左右方向に関しては全く結合されていないため、互いに左右方向に位置ずれしたり、地震等の振動により、係止爪が係止爪挿通孔や係止爪嵌入孔から抜け外れたりするおそれがある。
また、１個の横仕切板を外すために、すべての横仕切板を外さなければならないことがあり、組立および分解の作業性が悪い等の問題がある。
【０００７】
本発明は、従来の技術が有する上記のような問題点に鑑みてなされたもので、各部材の加工が簡単であり、容易に組み立てることができ、しかも、互いに隣接する１対の横仕切板または棚板と、その間に挟まれる縦仕切板との結合力を大とした収納家具およびその組み立て方法を提供することを目的としている。
【課題を解決するための手段】
【０００８】
本発明によると、上記課題は、次のようにして解決される。
（１）左右１対の側板間に、１または複数の縦仕切板を設け、前記側板と前記側板に隣接する前記縦仕切板との間、または互いに隣接する前記縦仕切板間に、横仕切板または棚板を架設し、前記縦仕切板に、左右方向に貫通する嵌合孔を設け、前記縦仕切板の左右における前記横仕切板同士または前記棚板同士のいずれか一方の対向縁に設けた水平突片を、前記嵌合孔に嵌合し、前記嵌合孔より突出する前記水平突片に設けた上下方に貫通する係合孔に、前記横仕切板同士または前記棚板同士のいずれか他方の対向縁に設けた下向突片を嵌合することにより、前記縦仕切板を挟んで左右に隣接する前記横仕切板同士または前記棚板同士を互いに結合した収納家具において、前記下向突片を設けた方の前記横仕切板または前記棚板の前後いずれかに係合部を設け、前記係合部を、収納家具の一構成部材である前部横桟または後面板に設けた被係合部に係合させる構成であって、前記係合部を、前記横仕切板または前記棚板の前端に設けた前向フランジとし、かつ前記被係合部を、左右の前記側板間に架設した前記前部横桟とし、前記前部横桟の下縁に、前記前向フランジを係合させることにより、前記横仕切板または前記棚板の上下方向の移動を阻止するようにする。
【０００９】
このような構成によると、縦仕切板に設けた嵌合孔に水平突片を嵌合し、嵌合孔より突出する水平突片に設けた係合孔に、下向突片を嵌合することにより、縦仕切板を挟んで、左右に隣接する横仕切板同士または棚板同士は、互いに左右方向には離脱不能として、強固に結合され、収納家具全体の強度を高めることができる。
また、縦仕切板に嵌合孔、一方の横仕切板または棚板に、係合孔付きの水平突片、他方の横仕切板または棚板に下向突片を設けるだけでよいので、各部材の加工が簡単であり、しかも、縦仕切板に設けた嵌合孔に水平突片を嵌合し、嵌合孔より突出する水平突片に設けた係合孔に、下向突片を嵌合するだけでよいので、容易に組み立てることができる。
さらに、上記と逆の手順で、下向突片が係合孔から離脱するように、下向突片が設けられた横仕切板または棚板を上方に持ち上げて外し、その後、水平突片が嵌合孔から離脱するように、水平突片が設けられた横仕切板または棚板を外すことにより、分解や組み替え等も容易に行うことができる。
ここで、このような構成によると、下向突片を設けた方の横仕切板または棚板の上方への移動を阻止することができ、地震時の振動等によっても、各部材のずれや外れを防止することができる。
また、このような構成によると、横仕切板または棚板を先に組み付けた後、前部横桟を、その下縁に前向フランジが係合するようにして組み付けることにより、横仕切板または棚板の前部の上方への移動を確実に防止することができる。
【００１０】
（２）上記(１)項において、各側板の内側面に受片を設け、各受片に、前記側板に隣接する横仕切板または棚板の対向縁に設けた垂下片を受止させる。
【００１１】
このような構成によると、側板に隣接する横仕切板または棚板に関しては、その縦仕切板寄りの側部に設けた水平突片を、縦仕切板の嵌合孔に嵌合した後、側板寄りの側部に設けた垂下片を、側板に設けた受片に受止させるか、または縦仕切板寄りの側部に設けた垂下片を、先に縦仕切板の嵌合孔に嵌合した水平突片の係合孔に嵌合するのとほぼ同時か、または若干相前後して、側板寄りの側部に設けた垂下片を、側板に設けた受片に受止させることにより、側板に隣接する横仕切板または棚板をも、簡単かつ迅速に収納家具に組み付けることができる。
【００１４】
（４）上記(３)項において、係合部を、横仕切板または棚板の後端に設けた後向突片とし、かつ被係合部を、後面板に設けた嵌合孔とし、この嵌合孔に前記後向突片を嵌合する。
【００１５】
このような構成によると、横仕切板または棚板を後下向き傾斜状態として、その後端に設けた後向突片を、後面板に設けた嵌合孔に嵌合した後、横仕切板または棚板の前部を下向きに回動させて、水平としつつ、下向突片を水平突片に設けた係合孔に嵌合させることにより、下向突片を設けた横仕切板または棚板を、容易に組み付けることができる。
【００１８】
本発明によると、上記課題は、次のようにして解決される。
（１）左右１対の側板間に、１または複数の縦仕切板を設け、前記側板と前記側板に隣接する前記縦仕切板との間、または互いに隣接する前記縦仕切板間に、横仕切板または棚板を架設し、前記縦仕切板に設けた嵌合孔に、前記縦仕切板の左右における前記横仕切板同士または前記棚板同士のいずれか一方の対向縁に設けた水平突片を嵌合し、前記嵌合孔より突出する前記水平突片に設けた上下方に貫通する係合孔に、前記横仕切板同士または前記棚板同士のいずれか他方の対向縁に設けた下向突片を嵌合することにより、前記縦仕切板を挟んで左右に隣接する前記横仕切板同士または前記棚板同士を互いに結合する収納家具の組み立て方法において、前記下向突片を設けた方の前記横仕切板または前記棚板の前後いずれかに係合部を設け、前記係合部を、収納家具の一構成部材である前部横桟または後面板に設けた被係合部に係合させる組み立て方法であって、前記係合部を、前記横仕切板または前記棚板の前端に設けた前向フランジとし、かつ前記被係合部を、左右の前記側板間に架設した前記前部横桟とし、前記前部横桟の下縁に、前記前向フランジを係合させることにより、前記横仕切板または前記棚板の上下方向の移動を阻止するようにする。
【００１９】
このような組み立て方法によると、縦仕切板に設けた嵌合孔に水平突片を嵌合し、嵌合孔より突出する水平突片に設けた係合孔に、下向突片を嵌合することにより、縦仕切板を挟んで、左右に隣接する横仕切板同士または棚板同士は、互いに左右方向には離脱不能として、強固に結合され、収納家具全体の強度を高めることができる。
また、縦仕切板に嵌合孔、一方の横仕切板または棚板に、係合孔付きの水平突片、他方の横仕切板または棚板に下向突片を設けるだけでよいので、各部材の加工が簡単であり、しかも、縦仕切板に設けた嵌合孔に水平突片を嵌合し、嵌合孔より突出する水平突片に設けた係合孔に、下向突片を嵌合するだけでよいので、容易に組み立てることができる。
さらに、上記と逆の手順で、下向突片が係合孔から離脱するように、下向突片が設けられた横仕切板または棚板を上方に持ち上げて外し、その後、水平突片が嵌合孔から離脱するように、水平突片が設けられた横仕切板または棚板を外すことにより、分解や組み替え等も容易に行うことができる。
ここで、このような組み立て方法によると、下向突片を設けた方の横仕切板または棚板の上方への移動を阻止することができ、地震時の振動等によっても、各部材のずれや外れを防止することができる。
また、このような組み立て方法によると、横仕切板または棚板を先に組み付けた後、前部横桟を、その下縁に前向フランジが係合するようにして組み付けることにより、横仕切板または棚板の前部の上方への移動を確実に防止することができる。
【発明の効果】
【００２０】
本発明によると、各部材の加工が簡単であり、容易に組み立てることができ、しかも、互いに隣接する１対の横仕切板または棚板と、その間に挟まれる縦仕切板との結合力を大とした収納家具およびその組み立て方法を提供することができる。
【図面の簡単な説明】
【００２１】
【図１】本発明の収納家具の一実施形態の正面図である。
【図２】扉を外した状態での図１のII−II線における拡大横断平面図である。
【図３】図２のIII−III線における縦断正面図である。
【図４】図２のIV−IV線における縦断側面図である。
【図５】図２のV−V線における縦断側面図である。
【図６】左側板に横仕切板を取付けるときの状況を、斜め前方より見た斜視図である。
【図７】左方の縦仕切板に、その左右の横仕切板を取付けるときの状況を、斜め前方より見た斜視図である。
【図８】左方の横仕切板を後面板に取付けるときの状況を、斜め前方より見た斜視図である。
【図９】中央の横仕切板を後面板に取付けるときの状況を、斜め前方より見た斜視図である。
【図１０】前部横桟の左部を、筐体に取付けるときの状況を、斜め前方より見た斜視図である。
【発明を実施するための形態】
【００２２】
以下、本発明の収納家具の一実施形態を、図面を参照して説明する。
図１〜図５に示すように、この収納家具は、左右方向に３個、かつ上下２段とした、合計６個の収納空間Ａを備えるスチール製の組立式ロッカーであり、平面視方形の底板１と、左右１対の側板２、３と、左右方向に並ぶ３枚の後面板４、５、６と、天板７とによって構成された筐体８と、この筐体８内において、底板１上に立設することにより、左右の側板２、３間に縦長の複数(この例では３個)の空間を形成するようにした１または複数(この例では２個)の縦仕切板９と、左右の側板２、３とそれに隣接する縦仕切板９との間、および互いに隣接する縦仕切板９、９間に架設することにより、上記縦長の各空間を上下に２分割し、合計６個の収納空間Ａを形成するようにした横仕切板１０、１１、１２と、すべての横仕切板１０、１１、１２の前端面を覆うように、左右の側板２、３間に架設した左右方向を向く前部横桟１３と、各収納空間Ａの前端開口部を開閉しうるように、底板１と前部横桟１３と天板７との間に設けられた合計６個の扉１４とを備えている。
【００２３】
上記の構成のうち、横仕切板１０、１１、１２と前部横桟１３と６個の扉１４とを除く構成、およびその組み立て方は、本出願人の先願である特願２０１４−２９８５７の明細書および図面に記載されているものとほぼ同様であり、それらについては本発明と直接関係しないので、詳細な図示および説明は省略し、以下においては、本発明の主要な構成要素である横仕切板１０、１１、１２と上記の構成との関係について詳細に説明する。
なお、扉１４を除く収納家具全体の構成は、左右対称をなしているので、以下の説明では、主に左半部の構成について詳細に説明する。
【００２４】
左右の側板２、３は、縦長の長方形の化粧板２ａ、３ａの前端に、ほぼ角筒状の縦框２ｂ、３ｂを設け、同じく後端に、筐体８の内方を向くほぼ平面視Ｌ字状の係合片２ｃ、３ｃを設けたものよりなっている。
縦框２ｂ、３ｂの前面と内側面との角部には、各扉１４の側端部を収容するための凹入段部２ｄ、３ｄが形成されている。
【００２５】
化粧板２ａ、３ａの内側面における上下方向の中間部には、図６に示すように、上半部が内向き鉤型をなす前後方向に長い受片１５の下半部が、溶接により固着されている。
【００２６】
各縦仕切板９は、縦長の長方形の仕切板９ａの前端に、角筒状をなして左右方向に突出する縦框９ｂを設け、同じく後端に、平面視Ｌ字状をなして左右両方向に突出する係合片９ｃを設けたものよりなっている。
仕切板９ａにおける上下方向の中間部には、図７に示すように、左右方向に貫通する前後方向に長い前後１対の嵌合孔１６が設けられている。
【００２７】
各後面板４、５、６の両側には、側板２、３の後端における係合片２ｃ、３ｃ、または縦仕切板９の後端における係合片９ｃに前方より嵌合しうるようにした、平面視Ｌ字状をなして後方を向く取付片４ａ、５ａ、６ａが設けられている。
【００２８】
左右の後面板４、６における上下方向および左右方向の中間部には、図８に示すように、上下方向の所要幅を、後方から前方に向かって平面視台形状に打ち出すことにより、上下方向に貫通するスリット状の受孔１７ａが形成されるようにした受片１７が設けられている。
また、中央の後面板５における上下方向の中間部には、図５および図９に示すように、縦仕切板９の嵌合孔１６とほぼ等高とした、左右方向に長い左右１対の嵌合孔１８、１８が設けられている。
【００２９】
各横仕切板１０、１１、１２の前後左右の縁には、垂下片１０ａ、１１ａ、１２ａがそれぞれ設けられており、前縁の垂下片１０ａ、１１ａ、１２ａの下端には、前上方に向かって傾斜する前向フランジ１０ｂ、１１ｂ、１２ｂが設けられている。
【００３０】
左右の横仕切板１０、１２の内側の側縁における垂下片１０ａ、１２ａの下縁には、図２、図３および図７に示すように、互いに内方を向く前後１対の水平突片１９、１９が設けられている。
各水平突片１９におけるその基端寄りには、上下方向に貫通する前後方向に長い係合孔２０が設けられている。
【００３１】
左右の横仕切板１０、１２の後端の垂下片１０ａ、１２ａの下縁における左右方向の中央部には、図４および図８に示すように、上方に向かう凹部２１と、その中央から垂下する下向突片２２とが設けられている。
下向突片２２の左右の縁は、上方に向かって互いに拡開する傾斜縁をなし、また、下向突片２２の下端部前面には、倒立三角錐状の突起２３が設けられている。
【００３２】
中央の横仕切板１１の後端における垂下片１１ａの下縁には、図５および図９に示すように、中央の後面板５に設けた被係合部をなす左右の嵌合孔１８、１８に嵌合しうる、後方を向く左右１対の係合部をなす後向突片２４、２４が設けられている。
【００３３】
中央の横仕切板１１の左右の側縁における垂下片１１ａの下縁には、図３および図７に示すように、上方に向かう前後１対の凹部２５、２５と、それらの中央部から垂下する下向突片２６、２６とが設けられている。
各下向突片２６の下端部内面には、倒立三角錐状の突起２７が設けられている。
各下向突片２６の前後方向の幅は、水平突片１９における係合孔２０の前後幅より小、下向突片２６を含む各凹部２５の前後方向の幅は、水平突片１９の前後幅より大としてある。
【００３４】
前部横桟１３は、図４および図５に示すように、前片１３ａと、その上端から後方を向く上片１３ｂと、前片１３ａの下端から後方を向く底片１３ｃと、上片１３ｂの下端から垂下する垂下片１３ｄとを備えており、その上片１３ｂの両側後部には、図２および図１０に示すように、左右の側板２、３の縦框２ｂ、３ｂにおける凹入段部２ｄ、３ｄより後方の部分が嵌合するようにした凹入段部２８が設けられている。
【００３５】
前部横桟１３の左右の端部には、図１０に示すように、左右の側板２、３の縦框２ｂ、３ｂにおける凹入段部２ｄ、３ｄの奥端面に設けた上下１対のスリット２９、２９に嵌合係止しうるようにした上下１対のフック３０ａ、３０ａを後端に備える側板３０が設けられている。
【００３６】
また、前部横桟１３の左右方向の中間部には、図２および図１０に示すように、左右の縦仕切板９の前端における縦框９ｂが後方より嵌合しうるようにした左右１対の凹部３１、３１が設けられている。
【００３７】
次に、本発明の収納家具の組み立て方法の一実施要領について説明する。
この収納家具を組立てるには、底板１の両側端に、左右の側板２、３の下端部を取り付けた後、底板１上に左右の縦仕切板９、９を立設し、次いで、それらの間に形成される縦長の空間のそれぞれの前方から、後面板４、５、６を後方に向かって押し入れ、各後面板４、５、６の両側における取付片４ａ、５ａ、６ａを、側板２、３の後端における係合片２ｃ、３ｃ、および縦仕切板９の後端における係合片９ｃに前方より嵌合し、次いで、それらの上端に天板７を載置して固定する。
ここまでの組立要領は、本出願人の先願である特願２０１４−２９８５７の明細書および図面に詳細に記載されているものとほぼ同様である。
【００３８】
次に、左右の縦長の空間に、左右の横仕切板１０、１２を、その内側の縁が外側の縁より下位となるように、横向きに傾斜させた状態で順次挿入した後、それらの内側の縁の前後の水平突片１９、１９を、各縦仕切板９の前後の嵌合孔１６、１６に嵌合しつつ、各横仕切板１０、１２の外側の縁を下向きに回動させ、その途中において、後端の下向突片２２を、後面板４、６の受片１７における受孔１７ａに上方より嵌合し、最後に、各横仕切板１０、１２の外側の縁における垂下片１０ａ、１２ａを、左右の側板２、３の内面における受片１５に受止させる。
【００３９】
下向突片２２を、後面板４、６の受片１７における受孔１７ａに上方より嵌合した際に、各下向突片２２は、その左右の縁が上方に向かって拡開する傾斜縁となっていることから、下向突片２２が受孔１７ａに進入するにつれて、楔作用により、後面板４、６の左右方向の位置決めがなされる。
また、下向突片２２に設けた倒立三角錐状の突起２３が受孔１７ａに楔入することにより、各横仕切板１０、１２と各後面板４、６との前後方向のがたつきが防止され、かつ各横仕切板１０、１２と各後面板４、６とが強固に結合される。
【００４０】
このとき、中央の縦長の空間においては、左右の縦仕切板９、９の各嵌合孔１６から、左右の横仕切板１０、１２における各水平突片１９が、互いに内方に向かって突出している。
【００４１】
この状態から、中央の縦長の空間に、中央の横仕切板１１を、その後端が前端より下位となるように傾斜させた状態で挿入し、その後端の左右の後向突片２４、２４を、中央の後面板５における左右の嵌合孔１８、１８に後方に向けて嵌合し、その後、横仕切板１１の前端部を下向きに回動させ、横仕切板１１が水平となる直前に、その両側における前後の下向突片２６、２６を、左右の各水平突片１９における係合孔２０、２０に嵌合する。
【００４２】
下向突片２６を、水平突片１９における係合孔２０に嵌合している途中から、各下向突片２６に設けた倒立三角錐状の突起２７が、その倒立した頂部から漸次係合孔２０内に進入し、このときの楔作用により、中央の横仕切板１１と、その左右の縦仕切板９、９および外側の横仕切板１０、１２とが、互いに引き寄せられて、強固に結合され、それらの相互間のがたつきが防止される(図３)。
【００４３】
次に、図１０に示すように、前部横桟１３を、その左右の凹入段部２８に、左右の側板２、３の縦框２ｂ、３ｂにおける凹入段部２ｄ、３ｄより後方の部分が嵌合し、かつ左右の凹部３１、３１に、左右の縦仕切板９の前端における縦框９ｂが後方より嵌合し、さらに、被係合部をなす垂下片１３ｄの下端に、横仕切板１０、１１、１２の前端における前上向き傾斜する係合部をなす前向フランジ１０ｂ、１１ｂ、１２ｂが係合するようにして、左右のフック３０ａ、３０ａを、左右の側板２、３の縦框２ｂ、３ｂにおける上下のスリット２９、２９にそれぞれ嵌合係止させる。
【００４４】
その後、上記のようにして形成された６個の収納空間Ａの各開口縁部に、扉１４を装着する。
この扉１４の装着にあたっては、各収納空間Ａの開口縁部の両側部に相当するように、底板１の前部上面、前部横桟１３の上片１３ｂおよび底片１３ｃ、天板の前部下面に設けた複数の軸孔３２(図１０参照)を選択し、そこに扉１４の枢軸(図示略)を嵌合して行う。
【００４５】
各収納空間Ａ内の上下部に、上記特願２０１４−２９８５７の明細書および図面に記載されているものと同様の網棚を設けることがあるが、その構成は、本発明に直接関係しないため、その図示および詳細な説明は省略する。
【００４６】
本発明の収納家具は、上記のような構成としてあるので、縦仕切板９に設けた嵌合孔１６に水平突片１９を嵌合し、嵌合孔１６より突出する水平突片１９に設けた係合孔２０に、下向突片２６を嵌合することにより、縦仕切板９を挟んで、左右に隣接する横仕切板１０と１１、１１と１２同士は、互いに左右方向には離脱不能として、強固に結合され、収納家具全体の強度を高めることができる。
また、縦仕切板９に嵌合孔１６、一方の横仕切板１０に、係合孔２０付きの水平突片１９、他方の横仕切板１１に下向突片２６を設けるだけでよいので、各部材の加工が簡単であり、しかも、縦仕切板９に設けた嵌合孔１６に水平突片１９を嵌合し、嵌合孔１６より突出する水平突片１９に設けた係合孔２０に、下向突片２６を嵌合するだけでよいので、容易に組み立てることができる。
さらに、上記と逆の手順で、下向突片２６が係合孔２０から離脱するように、下向突片２６が設けられた横仕切板１１を上方に持ち上げて外し、その後、水平突片１９が嵌合孔１６から離脱するように、水平突片１９が設けられた横仕切板１０、１２を、側方に傾斜させつつ外すことにより、分解や組み替え等も容易に行うことができる。
【００４７】
さらに、下向突片２６を設けた方の横仕切板１１の後端に設けた係合部である後向突片２４を、収納家具の一構成部材である後面板５に設けた被係合部である嵌合孔１８に嵌合したり、下向突片２６を設けた方の横仕切板１１の前端に設けた係合部である前向フランジ１１ｂを、収納家具の一構成部材であり、かつ被係合部をなす前部横桟１３の下縁に係合させたりしたことにより、下向突片２６を設けた方の横仕切板１１の上方への移動を阻止することができ、地震時の振動等によっても、各部材のずれや外れを防止することができる。
【００４８】
本発明は、上記実施形態のみに限定されるものではなく、特許請求の範囲を逸脱することなく、例えば、次のような変形した態様での実施が可能である。
(１)  横仕切板１０、１１、１２を棚板とし、前部横桟１３を省略するとともに、扉を、底板１から天板７までに至る縦長のものとする。
(２)  左右１対の側板２、３間に、１または３個以上の縦仕切板９を設け、両側板２、３とそれに隣接する縦仕切板９との間、または互いに隣接する縦仕切板９、９間に、横仕切板を架設する。
(３)  左右の横仕切板１０、１２のいずれか一方の内側の縁に、下向突片２６を設け、それに隣接する横仕切板１１の対向縁に、係合孔２０付きの水平突片１９を設け、この水平突片１９を縦仕切板９の嵌合孔１６に外向きに嵌合した後、上記下向突片２６を、この水平突片１９の係合孔２０に上方より嵌合させる。
【産業上の利用可能性】
【００４９】
本発明は、ロッカーだけでなく、キャビネットその他の収納家具にも適用することができる。
【符号の説明】
【００５０】
Ａ  収納空間
１  底板
２、３  側板
２ａ、３ａ  化粧板
２ｂ、３ｂ  縦框
２ｃ、３ｃ  係合片
２ｄ、３ｄ  凹入段部
４、５、６  後面板
７  天板
８  筐体
９  縦仕切板
９ａ仕切板
９ｂ縦框
９ｃ係合片
１０、１１、１２  横仕切板
１０ａ、１１ａ、１２ａ  垂下片
１０ｂ、１１ｂ、１２ｂ  前向フランジ(係合部)
１３  前部横桟(被係合部)
１３ａ前片
１３ｂ上片
１３ｃ底片
１３ｄ垂下片
１４  扉
１５  受片
１６  嵌合孔
１７  受片
１７ａ受孔
１８  嵌合孔(被係合部)
１９  水平突片
２０  係合孔
２１  凹部
２２  下向突片
２３  突起
２４  後向突片(係合部)
２５  凹部
２６  下向突片
２７  突起
２８  凹入段部
２９  スリット
３０  側板
３０ａフック
３１  凹部
３２  軸孔
【図１】
0006463031.tif 000002
【図２】
0006463031.tif 000003
【図３】
0006463031.tif 000004
【図４】
0006463031.tif 000005
【図５】
0006463031.tif 000006
【図６】
0006463031.tif 000007
【図７】
0006463031.tif 000008
【図８】
0006463031.tif 000009
【図９】
0006463031.tif 000010
【図１０】
0006463031.tif 000011